(57)【特許請求の範囲】
【請求項１】
送信装置と受信装置とから成るマルチバンド無線通信システムであって、
前記送信装置は、シリアルデータをパラレルデータに変換して出力するシリアル／パラレル変換部と、前記パラレルデータの各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の各々の出力信号をシリアルデータに変換するパラレル／シリアル変換部とを有することを特徴とするマルチバンド無線通信システム。
【請求項２】
送信装置と受信装置とから成るマルチバンド無線通信システムであって、
前記送信装置は、シリアルデータをパラレルデータに変換して出力するシリアル／パラレル変換部と、搬送波周波数のより高い前記パラレルデータに対してはより大きな重み付け係数を乗ずる重み付け部と、前記重み付け部からの出力信号の各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の各々の出力信号をシリアルデータに変換するパラレル／シリアル変換部とを有することを特徴とするマルチバンド無線通信システム。
【請求項３】
送信装置と受信装置とから成るマルチバンド無線通信システムであって、
前記送信装置は、シリアルデータをパラレルデータに変換して出力するシリアル／パラレル変換部と、搬送波周波数のより低い前記パラレルデータに対してはより多くのデータを格納する送信系シフトレジスタ部と、前記送信系シフトレジスタ部の出力信号の各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の各々の出力信号に対して、前記送信系シフトレジスタ部と同じ各搬送波周波数対応の格納データ数だけデータを格納する受信系シフトレジスタ部と、前記受信系シフトレジスタ部の出力信号をシリアルに変換するパラレル／シリアル変換部とを有することを特徴とするマルチバンド無線通信システム。
【請求項４】
自分側無線通信装置と相手側無線通信装置とから成るマルチバンド無線通信システムであって、
前記自分側無線通信装置は、自分側送信装置と自分側受信装置と前記自分側受信装置からの信号を処理して前記自分側送信装置に出力する自分側中間装置とを有し、
前記相手側無線通信装置は、相手側送信装置と相手側受信装置と前記相手側受信装置からの信号を処理して前記相手側送信装置に出力する相手側中間装置とを有し、
前記自分側受信装置は、空中から送られてくる前記相手側送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記相手側送信装置と同じ拡散系列でＮ通りの逆拡散を行うことで各帯域の信号を分離する逆拡散部と、前記逆拡散部の各々の出力信号に対して、前記相手側送信装置の送信系シフトレジスタ部の各搬送波周波数対応の格納データ数だけデータを格納する受信系シフトレジスタ部と、前記受信系シフトレジスタ部の出力信号をシリアルに変換するパラレル／シリアル変換部とを有し、
前記自分側中間装置は、前記逆拡散部の各々の出力信号の信号品質を抽出する受信信号品質抽出部と、前記受信信号品質抽出部の出力信号に基づいて、前記自分側送信装置における各搬送波周波数帯域対応の格納データ数や重み付け係数を決定する送信パラメータ制御部とを有し、
前記自分側送信装置は、シリアルデータをパラレルデータに変換するシリアル／パラレル変換部と、前記送信パラメータ制御部出力の制御信号により決められた各搬送波周波数帯域対応の格納データ数だけ前記シリアル／パラレル変換部出力の各々の信号に対してデータを格納する送信系シフトレジスタ部と、前記送信パラメータ制御部出力の制御信号により決められた各搬送波周波数帯域対応の重み付け係数を前記送信系シフトレジスタ部出力の各々の信号に乗ずる重み付け部と、前記重み付け部の各々の出力信号に対して、互いに直交する拡散系列で直接拡散を行う直接拡散部と、前記直接拡散部出力の各々の信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部の各々の帯域の信号を空中に送出する送信系アンテナとを有することを特徴とするマルチバンド無線通信システム。
【請求項５】
自分側無線通信装置と相手側無線通信装置とから成るマルチバンド無線通信システムであって、
前記自分側無線通信装置は、自分側送信装置と自分側受信装置と前記自分側受信装置からの信号を処理して前記自分側送信装置に出力する自分側中間装置とを有し、
前記相手側無線通信装置は、相手側送信装置と相手側受信装置と前記相手側受信装置からの信号を処理して前記相手側送信装置に出力する相手側中間装置とを有し、
前記自分側受信装置は、空中から送られてくる前記相手側送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記相手側送信装置と同じ拡散系列でＮ通りの逆拡散を行うことで各帯域の信号を分離する逆拡散部と、前記逆拡散部の各々の出力信号に対して、前記相手側送信装置の送信系シフトレジスタ部の各搬送波周波数対応の格納データ数だけデータを格納する受信系シフトレジスタ部と、前記受信系シフトレジスタ部の出力信号をシリアルに変換するパラレル／シリアル変換部と、前記パラレル／シリアル変換部の出力信号から前記自分側送信装置における送信系制御信号とその他の信号とを分離する送信制御情報分離部とを有し、
前記自分側中間装置は、前記逆拡散部の各々の出力信号の信号品質を抽出する受信信号品質抽出部と、前記受信信号品質抽出部の出力信号に基づいて、前記相手側送信装置における送信系制御信号を生成する送信制御情報生成部とを有し、前記自分側送信装置は、前記生成した相手側送信装置における送信系制御信号を送信データに挿入してシリアルに出力する送信制御情報挿入部と、前記送信制御情報挿入部の出力データをパラレルに変換するシリアル／パラレル変換部と、前記送信制御情報分離部出力の制御信号により決められた各搬送波周波数帯域対応の格納データ数だけのデータを前記シリアル／パラレル変換出力の各々のデータに対して格納する送信系シフトレジスタ部と、前記送信制御情報分離部出力の制御信号により決められた各搬送波周波数帯域対応の重み付け係数を前記送信系シフトレジスタ部出力の各々のデータに乗ずる重み付け部と、前記重み付け部の各々の出力信号に対して、互いに直交する拡散系列で直接拡散を行う直接拡散部と、前記直接拡散部出力の各々の信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部の各々の帯域の信号を空中に送出する送信系アンテナとを有することを特徴とするマルチバンド無線通信システム。
【請求項６】
自分側無線通信装置と相手側無線通信装置とから成るマルチバンド無線通信システムであって、
前記自分側無線通信装置は、自分側送信装置と自分側受信装置と前記自分側受信装置からの信号を処理して前記自分側送信装置に出力する自分側中間装置とを有し、
前記相手側無線通信装置は、相手側送信装置と相手側受信装置と前記相手側受信装置からの信号を処理して前記相手側送信装置に出力する相手側中間装置とを有し、
前記自分側受信装置は、空中から送られてくる前記相手側送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記相手側送信装置と同じ拡散系列でＮ通りの逆拡散を行うことで各帯域の信号を分離する逆拡散部と、前記逆拡散部の各々の出力信号に対して、前記相手側送信装置の送信系シフトレジスタ部の各搬送波周波数対応の格納データ数だけデータを格納する受信系シフトレジスタ部と、前記受信系シフトレジスタ部の出力信号をシリアルに変換するパラレル／シリアル変換部と、前記パラレル／シリアル変換部の出力信号から前記自分側送信装置における送信系制御信号とその他の信号とを分離する送信制御情報分離部とを有し、
前記自分側中間装置は、前記逆拡散部の各々の出力信号の信号品質を抽出する受信信号品質抽出部と、前記受信信号品質抽出部の出力信号に基づいて、前記相手側送信装置における送信系制御信号を生成する送信制御情報生成部とを有し、前記自分側送信装置は、帯域幅のより大きい搬送波周波数帯域に対してより大きくした格納データ数およびより高い搬送波周波数帯域に対してより大きくした重み付け係数を初期値とし、前記初期値設定以降は前記送信制御情報生成部出力を送信データに挿入する送信制御情報挿入部と、前記送信制御情報挿入部の出力データをパラレルに変換するシリアル／パラレル変換部と、前記初期値設定以降は前記送信制御情報分離部出力の制御信号により決められた各搬送波周波数帯域対応の格納データ数だけのデータを前記シリアル／パラレル変換出力の各々のデータに対して格納する送信系シフトレジスタ部と、前記初期値設定以降は前記送信制御情報分離部出力の制御信号により決められた各搬送波周波数帯域対応の重み付け係数を前記送信系シフトレジスタ部出力の各々のデータに乗ずる重み付け部と、前記重み付け部の各々の出力信号に対して、互いに直交する拡散系列で直接拡散を行う直接拡散部と、前記直接拡散部出力の各々の信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部の各々の帯域の信号を空中に送出する送信系アンテナとを有することを特徴とするマルチバンド無線通信システム。
【請求項７】
自分側無線通信装置と相手側無線通信装置とから成るマルチバンド無線通信システムであって、
前記自分側無線通信装置は、自分側送信装置と自分側受信装置と前記自分側受信装置からの信号を処理して前記自分側送信装置に出力する自分側中間装置とを有し、
前記相手側無線通信装置は、相手側送信装置と相手側受信装置と前記相手側受信装置からの信号を処理して前記相手側送信装置に出力する相手側中間装置とを有し、
前記自分側受信装置は、空中から送られてくる前記相手側送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記相手側送信装置と同じ拡散系列でＮ通りの逆拡散を行うことで各帯域の信号を分離する逆拡散部と、前記逆拡散部の各々の出力信号に対して、前記相手側送信装置の送信系シフトレジスタ部の各搬送波周波数対応の格納データ数だけデータを格納する受信系シフトレジスタ部と、前記受信系シフトレジスタ部の出力信号を前記相手側送信装置の送信系シフトレジスタ部に対応してシリアルに変換する信号種別パラレル／シリアル変換部と、前記パラレル／シリアル変換部の出力信号から前記自分側送信装置における送信系制御信号とその他の信号とを分離する送信制御情報分離部とを有し、前記自分側中間装置は、前記逆拡散部の各々の出力信号の信号品質を抽出する受信信号品質抽出部と、前記受信信号品質抽出部の出力信号に基づいて、音声・データ等の信号種類別に所要の受信信号品質に応じて前記抽出した受信信号品質が各々の所要値以上で等しくなるように前記相手側送信装置における送信系制御信号を生成する送信制御情報生成部とを有し、
前記自分側送信装置は、前記送信制御情報生成部の出力信号を送信データに挿入する送信制御情報挿入部と、前記送信制御情報挿入部の出力データを信号種類別に、別々の搬送波周波数帯域に割り当てる信号種別シリアル／パラレル変換部と、前記送信制御情報分離部出力の制御信号により決められた各搬送波周波数帯域対応の格納データ数だけのデータを前記シリアル／パラレル変換出力の各々のデータに対して格納する送信系シフトレジスタ部と、前記送信制御情報分離部出力の制御信号により決められた各搬送波周波数帯域対応の重み付け係数を前記送信系シフトレジスタ部出力の各々のデータに乗ずる重み付け部と、前記重み付け部の各々の出力信号に対して、互いに直交する拡散系列で直接拡散を行う直接拡散部と、前記直接拡散部出力の各々の信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部の各々の帯域の信号を空中に送出する送信系アンテナとを有することを特徴とするマルチバンド無線通信システム。
【請求項８】
送信装置と受信装置とから成るマルチバンド無線通信システムであって、
前記送信装置は、シリアルデータをパラレルデータに変換して出力するシリアル／パラレル変換部と、前記パラレルデータの各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を一括して共通の中間周波数帯域に周波数変換する受信系共通ＲＦ部と、前記受信系共通ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の各々の出力信号をシリアルデータに変換するパラレル／シリアル変換部とを有することを特徴とするマルチバンド無線通信システム。
【請求項９】
送信装置と受信装置とから成るマルチバンド無線通信システムであって、
前記送信装置は、シリアルデータをパラレルデータに変換して出力するシリアル／パラレル変換部と、前記パラレルデータの各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を一括して共通の中間周波数帯域に周波数変換する受信系共通ＲＦ部と、前記受信系共通ＲＦ部の出力データに対して前記送信装置と同じ拡散系列でＮ通りの逆拡散を行うことで各帯域の信号を分離する逆拡散部と、前記逆拡散部の各々の出力信号をシリアルデータに変換するパラレル／シリアル変換部とを有することを特徴とするマルチバンド無線通信システム。
【請求項１０】
送信装置と受信装置とから成るマルチバンド無線通信システムであって、
前記送信装置は、シリアルデータをパラレルデータに変換して出力するシリアル／パラレル変換部と、前記パラレルデータの各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対して前記送信装置と同じ拡散系列でＲａｋｅ受信して各帯域の信号を分離するＲａｋｅ受信部と、前記Ｒａｋｅ受信部の各々の出力信号をシリアルデータに変換するパラレル／シリアル変換部とを有することを特徴とするマルチバンド無線通信システム。
【請求項１１】
送信装置と受信装置とから成るマルチバンド無線通信システムであって、
前記送信装置は、シリアルデータをパラレルデータに変換して出力するシリアル／パラレル変換部と、前記パラレルデータの各々に対して、互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部の各々の帯域の信号をＮ個のアンテナで各周波数帯域毎に空中に送出する送信系アンテナ部とを有し、
前記受信装置は、空中から送られてくる前記送信装置からの信号をＮ個のアンテナで各周波数帯域毎に受信する受信系アンテナ部と、前記受信系アンテナ部で受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の各々の出力信号をシリアルデータに変換するパラレル／シリアル変換部とを有することを特徴とするマルチバンド無線通信システム。
【請求項１２】
送信装置と受信装置とから成るマルチバンド無線通信システムであって、
前記送信装置は、シリアルに送られて来た送信データを各搬送波周波数帯域の数だけ並列に分岐し前記分岐した各々の送信データに対して互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の出力信号より最も信号品質の良いものを選択して復調データとする選択合成部とを有することを特徴とするマルチバンド無線通信システム。
【請求項１３】
送信装置と受信装置とから成るマルチバンド無線通信システムであって、
前記送信装置は、シリアルに送られて来た送信データを各搬送波周波数帯域の数だけ並列に分岐し前記分岐した各々の送信データに対して互いに直交する拡散系列で直接拡散を行う直接拡散部と、前記直接拡散部の各々の出力信号を合成する合成器と、前記合成器の出力信号を共通の中間周波数に変換する送信系共通ＩＦ部と、前記送信系共通ＩＦ部の出力信号をＮ個の各々の搬送波周波数帯域へ個別に変換する送信系ＲＦ部と、前記送信系ＲＦ部からの各々の帯域の信号を空中に送出する送信系アンテナとを有し、
前記受信装置は、空中から送られてくる前記送信装置からの信号を受信する受信系アンテナと、前記受信系アンテナで受信された信号を各周波数帯域毎に共通の中間周波数帯域に周波数変換する受信系ＲＦ部と、前記受信系ＲＦ部の出力信号を一括してベースバンド信号に周波数変換する受信系共通ＩＦ部と、前記受信系共通ＩＦ部の出力信号に対し、前記送信装置と同じ拡散系列でＮ通りの逆拡散を行うことで各帯域の信号を分離する逆拡散部と、前記逆拡散部の出力信号を最大比合成したデータを復調データとする最大比合成部とを有することを特徴とするマルチバンド無線通信システム。
【発明の詳細な説明】
【０００１】
【発明の属する技術分野】
本発明は、複数の搬送波周波数帯域を使って通信品質の優れた通信を行うマルチバンド無線通信システムに関するものである。
【０００２】
【従来の技術】
図１４は、従来のマルチバンド無線通信システムを示すブロック図である。
【０００３】
図１４において、１はシリアル／パラレル変換部、６は送信系アンテナ、７は受信系アンテナ、１１はパラレル／シリアル変換部、３７は送信系ＩＦ／ＲＦ部、３８は受信系ＲＦ／ＩＦ部、１００は構成要素１、６、３７を有する送信装置、２００は構成要素７、１１、３８を有する受信装置である。
【０００４】
以上のように構成されたマルチバンド無線通信システムについて、以下その動作を説明する。
【０００５】
送信装置１００においては、まずシリアル／パラレル変換部１において、送信したいシリアル配列の送信データをパラレルデータに変換する。次に、送信系ＩＦ／ＲＦ部３７において、上記シリアル／パラレル変換部１の出力信号の各々に対して、使用する各搬送波周波数へ周波数変換を行い、その出力信号を一括して送信系アンテナ６から空中に送出する。
【０００６】
受信装置２００においては、空中を介して送信装置１００から送られてきた信号を受信系アンテナ７で受信する。次に、受信系ＲＦ／ＩＦ部３８において、各搬送波周波数帯域の信号をベースバンド信号に変換する。そして、その各々の出力信号を次のパラレル／シリアル変換部１１においてシリアルデータに変換して復調データを再生する。
【０００７】
【発明が解決しようとする課題】
しかしながら、上記従来のマルチバンド無線通信システムにおいては、その構成において、バンド数だけの送受信モジュール（送信装置１００においてはシリアル／パラメータ変換部１と送信系ＩＦ／ＲＦ部３７、受信装置２００においては受信系ＩＦ／ＲＦ部３８とパラメータ／シリアル変換部１１）を必要とし、その分、大幅にコスト増になるという問題点を有していた。
【０００８】
このマルチバンド無線通信システムでは、より低コストで、広域にわたる周波数ダイバーシチ効果を得ることが要求されている。
【０００９】
本発明は、この要求を満たすため、広域にわたる周波数ダイバーシチ効果を得ることができる低コストのマルチバンド無線通信システムを提供することを目的とする。
【００１０】
【課題を解決するための手段】
上記課題を解決する為に本発明の請求項１に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有する構成を備えている。
【００１１】
これにより、広域にわたる周波数ダイバーシチ効果を得ることができる低コストのマルチバンド無線通信システムが得られる。
【００１２】
【発明の実施の形態】
本発明の請求項１に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することとしたものである。
【００１３】
この構成により、送信装置および受信装置共に共通ＩＦ部で同一中間周波数として一括処理出来るので、ＩＦモジュールが一個で済み、その分の大幅な低コスト化を実現することができるという作用を有する。
【００１４】
請求項２に記載のマルチバンド無線通信システムは、送信装置と受信装置とから成るマルチバンド無線通信システムであって、送信装置は、シリアルデータをパラレルデータに変換して出力するシリアル／パラレル変換部と、搬送波周波数のより高いパラレルデータに対してはより大きな重み付け係数を乗ずる重み付け部と、重み付け部からの出力信号の各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することとしたものである。
【００１５】
この構成により、請求項１と同様の作用を有すると共に、一般的に伝送特性の厳しい周波数のより高い帯域対応のシリアル／パラレル変換部出力信号に対してはより大きな重み付け係数を掛けるようにしたので、特に近距離伝送時においてよりスループットを改善することができるという作用を有する。
【００１６】
請求項３に記載のマルチバンド無線通信システムは、送信装置と受信装置とから成るマルチバンド無線通信システムであって、送信装置は、シリアルデータをパラレルデータに変換して出力するシリアル／パラレル変換部と、搬送波周波数のより低いパラレルデータに対してはより多くのデータを格納する送信系シフトレジスタ部と、送信系シフトレジスタ部の出力信号の各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号に対して、送信系シフトレジスタ部と同じ各搬送波周波数対応の格納データ数だけデータを格納する受信系シフトレジスタ部と、受信系シフトレジスタ部の出力信号をシリアルに変換するパラレル／シリアル変換部とを有することとしたものである。
【００１７】
この構成により、請求項１と同様の作用を有すると共に、シリアル／パラレル変換部出力信号について、一般的に伝送特性の良好な周波数のより低い帯域に対してはより多くの送信信号ビット数を割り当てるようにしたので、特に長距離伝送時においてよりスループットを改善することができるという作用を有する。
【００１８】
請求項４に記載のマルチバンド無線通信システムは、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部とを有し、自分側中間装置は、逆拡散部の各々の出力信号の信号品質を抽出する受信信号品質抽出部と、受信信号品質抽出部の出力信号に基づいて、自分側送信装置における各搬送波周波数帯域対応の格納データ数や重み付け係数を決定する送信パラメータ制御部とを有し、自分側送信装置は、シリアルデータをパラレルデータに変換するシリアル／パラレル変換部と、送信パラメータ制御部出力の制御信号により決められた各搬送波周波数帯域対応の格納データ数だけシリアル／パラレル変換部出力の各々の信号に対してデータを格納する送信系シフトレジスタ部と、送信パラメータ制御部出力の制御信号により決められた各搬送波周波数帯域対応の重み付け係数を送信系シフトレジスタ部出力の各々の信号に乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することとしたものである。
【００１９】
この構成により、請求項１と同様の作用を有すると共に、各帯域の受信信号品質を抽出し、その結果を用いて、トータルとして最大のスループットが得られるような重み付け係数と割り当て送信信号ビット数を選択するようにしたので、無線伝搬路が時々刻々変化してもスループットの改善を図ることができるという作用を有する。
【００２０】
請求項５に記載のマルチバンド無線通信システムは、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、相手側送信装置における送信系制御信号を生成する送信制御情報生成部とを有し、自分側送信装置は、生成した相手側送信装置における送信系制御信号を送信データに挿入してシリアルに出力する送信制御情報挿入部と、送信制御情報挿入部の出力データをパラレルに変換するシリアル／パラレル変換部と、送信制御情報分離部出力の制御信号により決められた各搬送波周波数帯域対応の格納データ数だけのデータをシリアル／パラレル変換出力の各々のデータに対して格納する送信系シフトレジスタ部と、送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することとしたものである。
【００２１】
この構成により、請求項１と同様の作用を有すると共に、通信相手の無線通信装置が各帯域の受信信号品質を抽出し、その結果を自分側無線通信装置に伝送し、自分側無線通信装置では、その情報をもちいて、トータルとして最大のスループットが得られるような重み付け係数と割り当て送信信号ビット数を選択するようにしたので、上りと下りの伝送路特性が異なる場合であっても、時々刻々変化する無線伝搬路に対してスループットの改善を図ることができるという作用を有する。
【００２２】
請求項６に記載のマルチバンド無線通信システムは、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、相手側送信装置における送信系制御信号を生成する送信制御情報生成部とを有し、自分側送信装置は、帯域幅のより大きい搬送波周波数帯域に対してより大きくした格納データ数およびより高い搬送波周波数帯域に対してより大きくした重み付け係数を初期値とし、初期値設定以降は送信制御情報生成部出力を送信データに挿入する送信制御情報挿入部と、送信制御情報挿入部の出力データをパラレルに変換するシリアル／パラレル変換部と、初期値設定以降は送信制御情報分離部出力の制御信号により決められた各搬送波周波数帯域対応の格納データ数だけのデータをシリアル／パラレル変換出力の各々のデータに対して格納する送信系シフトレジスタ部と、初期値設定以降は送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することとしたものである。
【００２３】
この構成により、請求項１と同様の作用を有すると共に、初期値として、各帯域幅に応じて、送信信号ビット数を割り当て、各帯域の周波数の大小に応じて重み付け係数を決めるようにしたので、通信開始時点からより早い時間内に、上りと下りの伝送路特性が異なる場合であっても、時々刻々変化する無線伝搬路が対してスループットの改善を図ることができるという作用を有する。
【００２４】
請求項７に記載のマルチバンド無線通信システムは、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号を相手側送信装置の送信系シフトレジスタ部に対応してシリアルに変換する信号種別パラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、音声・データ等の信号種類別に所要の受信信号品質に応じて抽出した受信信号品質が各々の所要値以上で等しくなるように相手側送信装置における送信系制御信号を生成する送信制御情報生成部とを有し、自分側送信装置は、送信制御情報生成部の出力信号を送信データに挿入する送信制御情報挿入部と、送信制御情報挿入部の出力データを信号種類別に、別々の搬送波周波数帯域に割り当てる信号種別シリアル／パラレル変換部と、送信制御情報分離部出力の制御信号により決められた各搬送波周波数帯域対応の格納データ数だけのデータをシリアル／パラレル変換出力の各々のデータに対して格納する送信系シフトレジスタ部と、送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することとしたものである。
【００２５】
この構成により、請求項１と同様の作用を有すると共に、音声やデータなど所要受信信号品質の異なる複数の種類の信号を送る場合に、通信相手の無線通信装置が各帯域の受信信号品質を抽出し、その結果を自分側無線通信装置に伝送し、自分側無線通信装置では、その情報をもちいて、各信号の所要受信信号品質に応じて、適応的に重み付け係数や割り当て送信信号ビット数と共に帯域を割り当てるようにしたので、更にスループットの改善を図ることができるという作用を有する。
【００２６】
請求項８に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を一括して共通の中間周波数帯域に周波数変換する受信系共通ＲＦ部と、受信系共通ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することとしたものである。
【００２７】
この構成により、受信系ＲＦ部について、近距離伝送（１００ｍ程度）を前提とし、厳しい受信感度が要求されない場合に、帯域外雑音が発生するものの、各帯域に対し受信ＲＦ部を共通化するようにしたので、更に低コスト化を図ることができるという作用を有する。
【００２８】
請求項９に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を一括して共通の中間周波数帯域に周波数変換する受信系共通ＲＦ部と、受信系共通ＲＦ部の出力データに対して送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することとしたものである。
【００２９】
この構成により、受信系共通ＩＦ部について、Ｂｌｕｅｔｏｏｔｈのような更なる近距離伝送（１０ｍ程度）を前提とし、厳しいダイナミックが要求されない場合に、大きなダイナミックレンジが得られなくなるものの、各帯域に対し共通化された受信系共通ＩＦ部を除去するようにしたので、更に低コスト化を図ることができるという作用を有する。
【００３０】
請求項１０に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対して送信装置と同じ拡散系列でＲａｋｅ受信して各帯域の信号を分離するＲａｋｅ受信部と、Ｒａｋｅ受信部の各々の出力信号をシリアルデータに変換するパラレル／シリアル変換部とを有することとしたものである。
【００３１】
この構成により、請求項１と同様の作用を有すると共に、逆拡散部の構成をＲａｋｅレシーバーとすることで、周波数ダイバーシチ効果の他、パスダイバーシチ効果も発生し、マルチパス環境下において、よりスループットを改善を図ることができるという作用を有する。
【００３２】
請求項１１に記載のマルチバンド無線通信システムは、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号をＮ個のアンテナで各周波数帯域毎に空中に送出する送信系アンテナ部とを有し、受信装置は、空中から送られてくる送信装置からの信号をＮ個のアンテナで各周波数帯域毎に受信する受信系アンテナ部と、受信系アンテナ部で受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することとしたものである。
【００３３】
この構成により、請求項１と同様の作用を有するとともに、アンテナについて各帯域の間で指向性や伝送特性に大きな違いがある場合に、その帯域について独自のアンテナを使うことにより、若干コストは上がるものの、よりスループットの改善を図ることができるという作用を有する。
【００３４】
請求項１２に記載のマルチバンド無線通信システムは、送信装置と受信装置とから成るマルチバンド無線通信システムであって、送信装置は、シリアルに送られて来た送信データを各搬送波周波数帯域の数だけ並列に分岐し分岐した各々の送信データに対して互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の出力信号より最も信号品質の良いものを選択して復調データとする選択合成部とを有することとしたものである。
【００３５】
この構成により、請求項１と同様の作用を有すると共に、シリアル／パラレル変換について、複数の帯域を使う必要が無い程度に高速伝送が要求されない場合に、全ての送信データを各帯域を同時に使って並列に伝送し、受信装置では、各帯域毎の受信信号品質を抽出し、その情報に基づいて、最も品質の良い帯域の信号のみ復調に使う（選択合成を行う）ようにしたので、周波数ダイバーシチ効果が増大され、更なるスループットの改善を図ることができるという作用を有する。
【００３６】
請求項１３に記載のマルチバンド無線通信システムは、送信装置と受信装置とから成るマルチバンド無線通信システムであって、送信装置は、シリアルに送られて来た送信データを各搬送波周波数帯域の数だけ並列に分岐し分岐した各々の送信データに対して互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の出力信号を最大比合成したデータを復調データとする最大比合成部とを有することとしたものである。
【００３７】
この構成により、請求項１と同様の作用を有すると共に、各帯域毎の受信信号品質を抽出し、その情報に基づいて、品質のより高い帯域の信号により大きな重み付け係数を掛けた後に、それらの信号を合成（最大比合成）するようにしたので、周波数ダイバーシチ効果がさらに増大され、更なるスループットの改善を図ることができるという作用を有する。
【００３８】
以下、本発明の実施の形態について、図１〜図１３を用いて説明する。
【００３９】
（実施の形態１）
図１は本発明の実施の形態１によるマルチバンド無線通信システムを示すブロック図である。
【００４０】
図１において、１はリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１０１は送信装置、２０１は受信装置である。
【００４１】
以上のように構成されたマルチバンド無線通信システムについて、その動作を説明する。
【００４２】
送信装置１０１においては、まずシリアル／パラレル変換部１において、送信したいシリアル配列の送信データをパラレルデータに変換する。次に、直接拡散部２において、シリアル／パラレル変換部１出力の各々の信号を互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００４３】
受信装置２０１においては、空中を介して送信装置１０１から送られてきた信号を受信系アンテナ７で受信する。次に受信系ＲＦ部８において、各搬送波周波数帯域の信号を共通の中間周波数に変換し、更にそれらの信号を受信系共通ＩＦ部９においてベースバンド信号に変換する。受信系共通ＩＦ部９から出力されるベースバンド信号に対して、逆拡散部１０において、送信装置１０１と同じ拡散系列でＮ通りの逆拡散を行うことで、各帯域の信号を分離し、それらをパラレル／シリアル変換部１１においてシリアルデータに変換して復調データを再生する。
【００４４】
以上のように本実施の形態によれば、送信装置１０１は、シリアルデータをパラレルデータに変換して出力するシリアル／パラレル変換部１と、パラレルデータの各々に対して、互いに直交する拡散系列で直接拡散を行う直接拡散部２と、直接拡散部の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２０１は、空中から送られてくる送信装置１０１からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１０１と同じ拡散系列でＮ通りの逆拡散を行うことで各帯域の信号を分離する逆拡散部１０と、逆拡散部１０の各々の出力信号をシリアルデータに変換するパラレル／シリアル変換部１１とを有することにより、送信装置および受信装置共に共通ＩＦ部で同一中間周波数として一括処理出来るので、ＩＦモジュールが一個で済み、その分の大幅な低コスト化を実現することができる。
【００４５】
（実施の形態２）
図２は本発明の実施の形態２によるマルチバンド無線通信システムを示すブロック図である。
【００４６】
図２において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１２は重み付け部、１０２は送信装置、２０２は受信装置である。
【００４７】
以上のように構成されたマルチバンド無線通信システムについて、その動作を説明する。
【００４８】
送信装置１０２においては、まずシリアル／パラレル変換部１において、送信したいシリアル配列の送信データをパラレルデータに変換する。その変換出力の各々に対して、重み付け部１２において、搬送波周波数のより高い対応出力程、より大きい重み付け係数を乗じて、その信号の信頼性を高める。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００４９】
受信装置２０２においては、空中を介して送信装置１０２から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りの逆拡散を行うことで、各帯域の信号を分離し、それらをパラレル／シリアル変換部１１においてシリアル信号に変換して復調データを再生する。
【００５０】
以上のように本実施の形態によれば、送信装置１０２は、シリアルデータをパラレルデータに変換して出力するシリアル／パラレル変換部１と、搬送波周波数のより高いパラレルデータに対してはより大きな重み付け係数を乗ずる重み付け部１２と、重み付け部１２からの出力信号の各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２０２は、空中から送られてくる送信装置１０２からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１０２と同じ拡散系列でＮ通りの逆拡散を行うことで各帯域の信号を分離する逆拡散部１０と、逆拡散部１０の各々の出力信号をシリアルデータに変換するパラレル／シリアル変換部１１とを有することにより、一般的に伝送特性の厳しい周波数のより高い帯域対応のシリアル／パラレル変換部出力信号に対してはより大きな重み付け係数を掛けるようにしたので、特に近距離伝送時においてよりスループットを改善することができる。
【００５１】
（実施の形態３）
図３は本発明の実施の形態３によるマルチバンド無線通信システムを示すブロック図である。
【００５２】
図３において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１３は送信系シフトレジスタ部、１４は受信系シフトレジスタ部、１０３は送信装置、２０３は受信装置である。
【００５３】
以上のように構成されたマルチバンド無線通信システムについて、その動作を説明する。
【００５４】
送信装置１０３においては、まずシリアル／パラレル変換部１において、送信したいシリアル配列の送信データをパラレルデータに変換する。その変換出力データの各々に対して、送信系シフトレジスタ部１３において、搬送波周波数のより低い対応出力程、より多くのデータを格納する。次に、直接拡散部２において、送信系シフトレジスタ部１３の出力の各々の信号を互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００５５】
受信装置２０３においては、空中を介して送信装置１０３から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信装置１０３と同じ拡散系列でＮ通りの逆拡散を行うことで、各帯域の信号を分離する。それらの出力に対して、受信系シフトレジスタ部１４において、送信系シフトレジスタ部１３と同じ各搬送波周波数対応の格納データ数だけデータを格納し、それらをパラレル／シリアル変換部１１においてシリアルデータに変換して復調データを再生する。
【００５６】
以上のように本実施の形態によれば、送信装置１０３は、シリアルデータをパラレルデータに変換して出力するシリアル／パラレル変換部１と、搬送波周波数のより低いパラレルデータに対してはより多くのデータを格納する送信系シフトレジスタ部１３と、送信系シフトレジスタ部１３の出力信号の各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２０３は、空中から送られてくる送信装置１０３からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１０３と同じ拡散系列でＮ通りの逆拡散を行うことで各帯域の信号を分離する逆拡散部１０と、逆拡散部１０の各々の出力信号に対して、送信系シフトレジスタ部１３と同じ各搬送波周波数対応の格納データ数だけデータを格納する受信系シフトレジスタ部１４と、受信系シフトレジスタ部１４の出力信号をシリアルに変換するパラレル／シリアル変換部１１とを有することにより、シリアル／パラレル変換部出力信号について、一般的に伝送特性の良好な周波数のより低い帯域に対してはより多くの送信信号ビット数を割り当てるようにしたので、特に長距離伝送時においてよりスループットを改善することができる。
【００５７】
（実施の形態４）
図４は本発明の実施の形態４によるマルチバンド無線通信システムを示すブロック図である。
【００５８】
図４において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１５は送信系シフトレジスタ部、１６は重み付け部、１７は受信系シフトレジスタ部、１８は無線通信装置Ｍ１０１の送信パラメータ制御部、１９は無線通信装置Ｍ１０１の受信信号品質抽出部、２０は無線通信装置Ｍ２０１の受信信号品質抽出部、２１は無線通信装置Ｍ２０１の送信パラメータ制御部、１０４は無線通信装置Ｍ１０１の送信装置、１０５は無線通信装置Ｍ２０１の送信装置、２０４は無線通信装置Ｍ１０１の受信装置、２０５は無線通信装置Ｍ２０１の受信装置である。
【００５９】
以上のように構成されたマルチバンド無線通信システムについて、その動作を説明する。なお、ここでは、無線通信装置Ｍ１０１は自分側無線通信装置であり、無線通信装置Ｍ２０１は相手側無線通信装置である。また、送信パラメータ制御部１８と受信信号品質抽出部１９とは無線通信装置Ｍ１０１の中間装置を構成し、送信パラメータ制御部２１と受信信号品質抽出部２０とは無線通信装置Ｍ２０１の中間装置を構成する。
【００６０】
無線通信装置Ｍ２０１の受信装置２０５においては、空中を介して無線通信装置Ｍ１０１の送信装置１０４から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信装置１０４と同じ拡散系列でＮ通りの逆拡散を行うことで、各帯域の信号を分離する。それらの出力に対して、受信系シフトレジスタ部１７において、送信系シフトレジスタ部１５と同じ各搬送波周波数対応の格納データ数だけデータを格納し、それらをパラレル／シリアル変換部１１においてシリアルデータに変換して復調データを再生する。一方、無線通信装置Ｍ２０１の受信信号品質抽出部２０において、上記逆拡散部１０の各々の出力の信号品質を抽出し、その情報から、無線通信装置Ｍ２０１の送信系パラメータ制御部２１において、各搬送波周波数帯域対応の格納データ数や重み付け係数を決定する。無線通信装置Ｍ１０１の受信装置２０４の動作も同様である。
【００６１】
無線通信装置Ｍ１０１の送信装置１０４においては、まずシリアル／パラレル変換部１において、送信したいシリアル配列の送信データをパラレルデータに変換する。その変換出力の各々に対して、送信系シフトレジスタ部１５において、送信パラメータ制御部１８で決められた各搬送波周波数帯域対応の格納データ数だけデータを格納する。更に、重み付け部１６において、送信パラメータ制御部１８で決められた各搬送波周波数帯域対応の重み付け係数を送信系シフトレジスタ部１５の出力に対して乗ずる。次に、直接拡散部２において、その出力の各々の信号を互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。無線通信装置Ｍ２０１の送信装置１０５の動作も同様である。
【００６２】
以上のように本実施の形態によれば、自分側受信装置２０４は、空中から送られてくる相手側送信装置１０５からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部とを有し、自分側中間装置は、逆拡散部の各々の出力信号の信号品質を抽出する受信信号品質抽出部１９と、受信信号品質抽出部１９の出力信号に基づいて、自分側送信装置１０４における各搬送波周波数帯域対応の格納データ数や重み付け係数を決定する送信パラメータ制御部１８とを有し、自分側送信装置１０４は、シリアルデータをパラレルデータに変換するシリアル／パラレル変換部１と、送信パラメータ制御部出力の制御信号により決められた各搬送波周波数帯域対応の格納データ数だけシリアル／パラレル変換部出力の各々の信号に対してデータを格納する送信系シフトレジスタ部１５と、送信パラメータ制御部出力の制御信号により決められた各搬送波周波数帯域対応の重み付け係数を送信系シフトレジスタ部出力の各々の信号に乗ずる重み付け部１６と、重み付け部１６の各々の出力信号に対して、互いに直交する拡散系列で直接拡散を行う直接拡散部２と、直接拡散部出力の各々の信号を合成する合成器３と、合成器の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５の各々の帯域の信号を空中に送出する送信系アンテナ６とを有することにより、各帯域の受信信号品質を抽出し、その結果を用いて、トータルとして最大のスループットが得られるような重み付け係数と割り当て送信信号ビット数を選択するようにしたので、無線伝搬路が時々刻々変化してもスループットの改善を図ることができる。
【００６３】
（実施の形態５）
図５は本発明の実施の形態５によるマルチバンド無線通信システムを示すブロック図である。
【００６４】
図５において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１５は送信系シフトレジスタ部、１６は重み付け部、１７は受信系シフトレジスタ部、１９は無線通信装置Ｍ１０２の受信信号品質抽出部、２０は無線通信装置Ｍ２０２の受信信号品質抽出部、２２は無線通信装置Ｍ２０２の送信制御情報生成部、２３は無線通信装置Ｍ１０２の送信制御情報生成部、２４は送信制御情報挿入部、２５は送信制御情報分離部、１０６は無線通信装置Ｍ１０２の送信装置、１０７は無線通信装置Ｍ２０２の送信装置、２０６は無線通信装置Ｍ１０２の受信装置、２０７は無線通信装置Ｍ２０２の受信装置である。
【００６５】
以上のように構成されたマルチバンド無線通信システムについて、その動作を説明する。なお、ここでは、無線通信装置Ｍ１０２は自分側無線通信装置であり、無線通信装置Ｍ２０２は相手側無線通信装置である。また、受信信号品質抽出部１９と送信制御情報生成部２３とは無線通信装置Ｍ１０２の中間装置を構成し、受信信号品質抽出部２０と送信制御情報生成部２２とは無線通信装置Ｍ２０２の中間装置を構成する。
【００６６】
無線通信装置Ｍ２０２の受信装置２０７においては、空中を介して送信装置１０６から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信装置１０６と同じ拡散系列でＮ通りの逆拡散を行うことで各帯域の信号を分離する。それらの出力に対して、受信系シフトレジスタ部１７において、送信系シフトレジスタ部１５と同じ各搬送波周波数対応の格納データ数だけデータを格納し、それらをパラレル／シリアル変換部１１においてシリアル信号に変換し、送信制御情報分離部２５において、自分側無線通信装置Ｍ１０２の送信系制御信号を分離し、その他の信号を復調データとして再生する。一方、無線通信装置Ｍ２０２の受信信号品質抽出部２０において、逆拡散部１０の各々の出力の信号品質を抽出し、その情報から、無線通信装置Ｍ２０２の送信制御情報生成部２２において、無線通信装置Ｍ１０２における送信系制御信号を生成する。無線通信装置Ｍ１０２の受信装置２０６の動作も同様である。
【００６７】
無線通信装置Ｍ１０２の送信装置１０６においては、送信制御情報挿入部２４において、無線通信装置Ｍ１０２の送信制御情報生成部２３より生成される信号を、送信したいシリアル配列の送信データに挿入し、それをシリアル／パラレル変換部１においてパラレルデータに変換する。その変換出力データの各々に対して、送信系シフトレジスタ部１５において、送信制御情報分離部（図示せず）より得られた制御信号で決められた各搬送波周波数帯域対応の格納データ数だけデータを格納する。更に、重み付け部１６において、送信制御情報分離部より得られた制御信号で決められた各搬送波周波数帯域対応の重み付け係数を送信系シフトレジスタ部１５の出力に対して乗ずる。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。無線通信装置Ｍ２０２の送信装置１０７の動作も同様である。
【００６８】
以上のように本実施の形態によれば、自分側受信装置２０６は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置１０７の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部１９と、受信信号品質抽出部１９の出力信号に基づいて、相手側送信装置１０７における送信系制御信号を生成する送信制御情報生成部２３とを有し、自分側送信装置１０６は、生成した相手側送信装置１０７における送信系制御信号を送信データに挿入してシリアルに出力する送信制御情報挿入部２４と、送信制御情報挿入部２４の出力データをパラレルに変換するシリアル／パラレル変換部１と、送信制御情報分離部出力の制御信号により決められた各搬送波周波数帯域対応の格納データ数だけのデータをシリアル／パラレル変換出力の各々のデータに対して格納する送信系シフトレジスタ部１５と、送信制御情報分離部出力の制御信号により決められた各搬送波周波数帯域対応の重み付け係数を送信系シフトレジスタ部出力の各々のデータに乗ずる重み付け部１６と、重み付け部１６の各々の出力信号に対して、互いに直交する拡散系列で直接拡散を行う直接拡散部２と、直接拡散部出力の各々の信号を合成する合成器３と、合成器の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５の各々の帯域の信号を空中に送出する送信系アンテナ６とを有することにより、通信相手の無線通信装置Ｍ２０２が各帯域の受信信号品質を抽出し、その結果を自分側無線通信装置Ｍ１０２に伝送し、自分側無線通信装置Ｍ１０２では、その情報をもちいて、トータルとして最大のスループットが得られるような重み付け係数と割り当て送信信号ビット数を選択するようにしたので、上りと下りの伝送路特性が異なる場合であっても、時々刻々変化する無線伝搬路に対してスループットの改善を図ることができる。
【００６９】
（実施の形態６）
図６は本発明の実施の形態６によるマルチバンド無線通信システムを示すブロック図である。
【００７０】
図６において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１１はパラレル／シリアル変換部、１５は送信系シフトレジスタ部、１６は重み付け部Ｂ、１７は受信系シフトレジスタ部、１９は無線通信装置Ｍ１０３の受信信号品質抽出部、２０は無線通信装置Ｍ２０３の受信信号品質抽出部、２２は無線通信装置Ｍ２０３の送信制御情報生成部、２３は無線通信装置Ｍ１０３の送信制御情報生成部、２５は送信制御情報分離部、２６は送信制御情報挿入部Ｂ、１０８は無線通信装置Ｍ１０３の送信装置、１０９は無線通信装置Ｍ２０３の送信装置、２０８は無線通信装置Ｍ１０３の受信装置、２０９は無線通信装置Ｍ２０３の受信装置である。
【００７１】
以上のように構成されたマルチバンド無線通信システムについて、その動作を説明する。なお、ここでは、無線通信装置Ｍ１０３は自分側無線通信装置であり、無線通信装置Ｍ２０３は相手側無線通信装置である。また、受信信号品質抽出部１９と送信制御情報生成部２３とは無線通信装置Ｍ１０３の中間装置を構成し、受信信号品質抽出部２０と送信制御情報生成部２２とは無線通信装置Ｍ２０３の中間装置を構成する。
【００７２】
無線通信装置Ｍ２０３の受信装置２０９においては、空中を介して送信装置１０６から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信装置１０８と同じ拡散系列でＮ通りの逆拡散を行うことで各帯域の信号を分離する。それらの出力に対して、受信系シフトレジスタ部１７において、送信系シフトレジスタ部１５と同じ各搬送波周波数対応の格納データ数だけデータを格納し、それらをパラレル／シリアル変換部１１においてシリアル信号に変換し、送信制御情報分離部２５において、自分側無線通信装置Ｍ１０３の送信系制御信号を分離し、その他の信号を復調データとして再生する。一方、無線通信装置Ｍ２０３の受信信号品質抽出部２０において、逆拡散部１０の各々の出力の信号品質を抽出し、その情報から、無線通信装置Ｍ２０３の送信制御情報生成部２２において、無線通信装置Ｍ１０３における送信系制御信号を生成する。無線通信装置Ｍ１０３の受信装置２０８の動作も同様である。
【００７３】
無線通信装置Ｍ１０３の送信装置１０８においては、送信制御情報挿入部Ｂ２６において、帯域幅のより大きい搬送波周波数帯域に対してより大きくした格納データ数、及びより高い搬送波周波数帯域に対してより大きくした重み付け係数を送信制御情報の初期値として、送信したいシリアル配列の送信データに挿入し、その後は送信制御情報生成部２３の出力を送信データに挿入する。そして、それをシリアル／パラレル変換部１においてパラレルデータに変換する。その変換出力の各々に対して、送信系シフトレジスタＢ１５において、無線通信装置Ｍ１０３の送信制御情報分離部（図示せず）より得られた制御信号で決められた各搬送波周波数帯域対応の格納データ数だけデータを格納する。更に、重み付け部１６において、無線通信装置Ｍ１０３の送信制御情報分離部より得られた制御信号で決められた各搬送波周波数帯域対応の重み付け係数を送信系シフトレジスタ部１５の出力に対して乗ずる。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。無線通信装置Ｍ２０３の送信装置１０９の動作も同様である。
【００７４】
以上のように本実施の形態によれば、自分側受信装置２０８は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置１０９の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置１０８における送信系制御信号とその他の信号とを分離する送信制御情報分離部とを有し、自分側中間装置は、逆拡散部の各々の出力信号の信号品質を抽出する受信信号品質抽出部１９と、受信信号品質抽出部１９の出力信号に基づいて、相手側送信装置１０９における送信系制御信号を生成する送信制御情報生成部２３とを有し、自分側送信装置１０８は、帯域幅のより大きい搬送波周波数帯域に対してより大きくした格納データ数およびより高い搬送波周波数帯域に対してより大きくした重み付け係数を初期値とし、初期値設定以降は送信制御情報生成部出力を送信データに挿入する送信制御情報挿入部Ｂ２６と、送信制御情報挿入部Ｂ２６の出力データをパラレルに変換するシリアル／パラレル変換部１と、初期値設定以降は送信制御情報分離部出力の制御信号により決められた各搬送波周波数帯域対応の格納データ数だけのデータをシリアル／パラレル変換出力の各々のデータに対して格納する送信系シフトレジスタ部１５と、初期値設定以降は送信制御情報分離部出力の制御信号により決められた各搬送波周波数帯域対応の重み付け係数を送信系シフトレジスタ部出力の各々のデータに乗ずる重み付け部１６と、重み付け部１６の各々の出力信号に対して、互いに直交する拡散系列で直接拡散を行う直接拡散部２と、直接拡散部出力の各々の信号を合成する合成器３と、合成器の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５の各々の帯域の信号を空中に送出する送信系アンテナ６とを有することにより、初期値として、各帯域幅に応じて、送信信号ビット数を割り当て、各帯域の周波数の大小に応じて重み付け係数を決めるようにしたので、通信開始時点からより早い時間内に、上りと下りの伝送路特性が異なる場合であっても、時々刻々変化する無線伝搬路が対してスループットの改善を図ることができる。
【００７５】
（実施の形態７）
図７は本発明の実施の形態７によるマルチバンド無線通信システムを示すブロック図である。
【００７６】
図７において、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、１５は送信系シフトレジスタ部、１６は重み付け部、１７は受信系シフトレジスタ部、１９は無線通信装置Ｍ１０４の受信信号品質抽出部、２０は無線通信装置Ｍ２０４の受信信号品質抽出部、２４は送信制御情報挿入部、２５は送信制御情報分離部、２７は信号種別シリアル／パラレル変換部、２８は無線通信装置Ｍ１０４の送信制御情報生成部、２９は無線通信装置Ｍ２０４の送信制御情報生成部、３０は信号種別パラレル／シリアル変換部、１１０は無線通信装置Ｍ１０４の送信装置、１１１は無線通信装置Ｍ２０４の送信装置、２１０は無線通信装置Ｍ１０４の受信装置、２１１は無線通信装置Ｍ２０４の受信装置である。
【００７７】
以上のように構成されたマルチバンド無線通信システムについて、その動作を説明する。なお、ここでは、無線通信装置Ｍ１０４は自分側無線通信装置であり、無線通信装置Ｍ２０４は相手側無線通信装置である。また、受信信号品質抽出部１９と送信制御情報生成部２８とは無線通信装置Ｍ１０４の中間装置を構成し、受信信号品質抽出部２０と送信制御情報生成部２９とは無線通信装置Ｍ２０４の中間装置を構成する。
【００７８】
無線通信装置Ｍ２０４の受信装置２１１においては、空中を介して送信装置１１０から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信装置１１０と同じ拡散系列でＮ通りの逆拡散を行うことで各帯域の信号を分離する。それらの出力に対して、受信系シフトレジスタ部１７において、送信系シフトレジスタ部１５と同じ各搬送波周波数対応の格納データ数だけデータを格納し、それらの出力を、無線通信装置Ｍ１０３の送信装置１１０に対応して、信号種別パラレル／シリアル変換部３０において、信号種類別（音声、データ等）にシリアル信号に変換し、送信制御情報分離部２５において、自分側無線通信装置Ｍ１０４の送信系制御信号を分離し、その他の信号を復調データとして再生する。一方、受信信号品質抽出部２０において、逆拡散部１０の各々の出力の信号品質を抽出し、その情報から、送信系制御情報生成部２９において、信号種類別（音声、データ等）に、所要受信信号品質に応じて受信信号品質が各々の所要値以上で等しくなるように無線通信装置Ｍ１０４における送信系制御信号を生成する。無線通信装置Ｍ１０４の受信装置２１０の動作も同様である。
【００７９】
無線通信装置Ｍ１０４の送信装置１１０においては、送信制御情報挿入部２４において、送信制御情報生成部２８より生成される信号を送信データに挿入し、その出力を、信号種別シリアル／パラレル変換部２７において、信号種類別に別々の搬送波周波数帯域に割り当てるようにパラレルデータに変換する。その変換出力の各々に対して、送信系シフトレジスタ部１５において、無線通信装置Ｍ１０４の送信制御情報分離部（図示せず）より得られた制御信号で決められた各搬送波周波数帯域対応の格納データ数だけデータを格納する。更に、重み付け部１６において、無線通信装置Ｍ１０４の送信制御情報分離部より得られた制御信号で決められた各搬送波周波数帯域対応の重み付け係数を送信系シフトレジスタ部１５の出力に対して乗ずる。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。無線通信装置Ｍ２０４の送信装置１１１の動作も同様である。
【００８０】
以上のように本実施の形態によれば、自分側受信装置２１０は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置１１１と同じ拡散系列でＮ通りの逆拡散を行うことで各帯域の信号を分離する逆拡散部と、逆拡散部の各々の出力信号に対して、相手側送信装置１１１の送信系シフトレジスタ部の各搬送波周波数対応の格納データ数だけデータを格納する受信系シフトレジスタ部と、受信系シフトレジスタ部の出力信号を相手側送信装置の送信系シフトレジスタ部に対応してシリアルに変換する信号種別パラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部１９と、受信信号品質抽出部１９の出力信号に基づいて、音声・データ等の信号種類別に所要の受信信号品質に応じて抽出した受信信号品質が各々の所要値以上で等しくなるように相手側送信装置１１１における送信系制御信号を生成する送信制御情報生成部２８とを有し、自分側送信装置１１０は、送信制御情報生成部２８の出力信号を送信データに挿入する送信制御情報挿入部２４と、送信制御情報挿入部２４の出力データを信号種類別に、別々の搬送波周波数帯域に割り当てる信号種別シリアル／パラレル変換部２７と、送信制御情報分離部出力の制御信号により決められた各搬送波周波数帯域対応の格納データ数だけのデータをシリアル／パラレル変換出力の各々のデータに対して格納する送信系シフトレジスタ部１５と、送信制御情報分離部出力の制御信号により決められた各搬送波周波数帯域対応の重み付け係数を送信系シフトレジスタ部出力の各々のデータに乗ずる重み付け部１６と、重み付け部１６の各々の出力信号に対して、互いに直交する拡散系列で直接拡散を行う直接拡散部２と、直接拡散部出力の各々の信号を合成する合成器３と、合成器の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５の各々の帯域の信号を空中に送出する送信系アンテナ６とを有することにより、音声やデータなど所要受信信号品質の異なる複数の種類の信号を送る場合に、通信相手の無線通信装置Ｍ２０４が各帯域の受信信号品質を抽出し、その結果を自分側無線通信装置Ｍ１０４に伝送し、自分側無線通信装置Ｍ１０４では、その情報をもちいて、各信号の所要受信信号品質に応じて、適応的に重み付け係数や割り当て送信信号ビット数と共に帯域を割り当てるようにしたので、更にスループットの改善を図ることができる。
【００８１】
（実施の形態８）
図８は本発明の実施の形態８によるマルチバンド無線通信システムを示すブロック図である。
【００８２】
図８において、１はシリアル／パラレル変換部、２は直接拡散部、３は合成器、４は送信系共通ＩＦ部、５は送信系ＲＦ部、６は送信系アンテナ、７は受信系アンテナ、９は受信系共通ＩＦ部、１０は逆拡散部、１１はパラレル／シリアル変換部、３１は受信系共通ＲＦ部、１１２は送信装置、２１２は受信装置である。
【００８３】
以上のように構成されたマルチバンド無線通信システムについて、その動作を説明する。
【００８４】
送信装置１１２においては、まずシリアル／パラレル変換部１において、送信したいシリアル配列の送信データをパラレルデータに変換する。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００８５】
受信装置２１２においては、空中を介して送信装置１１２から送られてきた信号を受信系アンテナ７で受信する。次に、受信系共通ＲＦ部３１において一括して、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りの逆拡散を行うことで各帯域の信号を分離し、それらをパラレル／シリアル変換部１１においてシリアルデータに変換して復調データを再生する。
【００８６】
以上のように本実施の形態によれば、送信装置１１２は、シリアルデータをパラレルデータに変換して出力するシリアル／パラレル変換部１と、パラレルデータの各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２１２は、空中から送られてくる送信装置１１２からの信号を受信する受信系アンテナ７と、受信系アンテナ７で受信された信号を一括して共通の中間周波数帯域に周波数変換する受信系共通ＲＦ部３１と、受信系共通ＲＦ部３１の出力信号を一括してベースバンド信号に周波数変換する受信系共通ＩＦ部９と、受信系共通ＩＦ部９の出力信号に対し、送信装置１１２と同じ拡散系列でＮ通りの逆拡散を行うことで各帯域の信号を分離する逆拡散部１０と、逆拡散部１０の各々の出力信号をシリアルデータに変換するパラレル／シリアル変換部１１とを有することにより、受信系ＲＦ部について、近距離伝送（１００ｍ程度）を前提とし、厳しい受信感度が要求されない場合に、帯域外雑音が発生するものの、各帯域に対し受信ＲＦ部を共通化するようにしたので、更に低コスト化を図ることができる。
【００８７】
（実施の形態９）
図９は本発明の実施の形態９によるマルチバンド無線通信システムを示すブロック図である。
【００８８】
図９において、１はシリアル／パラレル変換部、２は直接拡散部、３は合成器、４は送信系共通ＩＦ部、５は送信系ＲＦ部、６は送信系アンテナ、７は受信系アンテナ、１０は逆拡散部、１１はパラレル／シリアル変換部、３１は受信系共通ＲＦ部、１１３は送信装置、２１３は受信装置である。
【００８９】
以上のように構成されたマルチバンド無線通信システムについて、その動作を説明する。
【００９０】
送信装置１１３においては、まずシリアル／パラレル変換部１において、送信したいシリアル配列の送信データをパラレルデータに変換する。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００９１】
受信装置２１３においては、空中を介して送信装置１１３から送られてきた信号を受信系アンテナ７で受信する。次に、受信系共通ＲＦ部３１において一括して、各搬送波周波数帯域の信号を共通のベースバンド信号に変換する。この出力に対して、逆拡散部１０において、送信系と同じ拡散系列でＮ通りの逆拡散を行うことで各帯域の信号を分離し、それらをパラレル／シリアル変換部１１においてシリアルデータに変換して復調データを再生する。
【００９２】
以上のように本実施の形態によれば、送信装置１１３は、シリアルデータをパラレルデータに変換して出力するシリアル／パラレル変換部１と、パラレルデータの各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２１３は、空中から送られてくる送信装置からの信号を受信する受信系アンテナ７と、受信系アンテナ７で受信された信号を一括して共通の中間周波数帯域に周波数変換する受信系共通ＲＦ部３１と、受信系共通ＲＦ部３１の出力データに対して送信装置１１３と同じ拡散系列でＮ通りの逆拡散を行うことで各帯域の信号を分離する逆拡散部１０と、逆拡散部１０の各々の出力信号をシリアルデータに変換するパラレル／シリアル変換部１１とを有することにより、受信系共通ＩＦ部について、Ｂｌｕｅｔｏｏｔｈのような更なる近距離伝送（１０ｍ程度）を前提とし、厳しいダイナミックが要求されない場合に、大きなダイナミックレンジが得られなくなるものの、各帯域に対し共通化された受信系共通ＩＦ部を除去するようにしたので、更に低コスト化を図ることができる。
【００９３】
（実施の形態１０）
図１０は本発明の実施の形態１０によるマルチバンド無線通信システムを示すブロック図である。
【００９４】
図１０において、１はシリアル／パラレル変換部、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１１はパラレル／シリアル変換部、３２はＲａｋｅ受信部、１１４は送信装置、２１４は受信装置である。
【００９５】
以上のように構成されたマルチバンド無線通信システムについて、その動作を説明する。
【００９６】
送信装置１１４においては、まずシリアル／パラレル変換部１において、送信したいシリアル配列の送信データをパラレルデータに変換する。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【００９７】
受信装置２１４においては、空中を介して送信装置１１４から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りのＲａｋｅ受信を行うことで各帯域の信号を分離し、それらをパラレル／シリアル変換部１１においてシリアルデータに変換して復調データを再生する。
【００９８】
以上のように本実施の形態によれば、送信装置１１４は、シリアルデータをパラレルデータに変換して出力するシリアル／パラレル変換部１と、パラレルデータの各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２１４は、空中から送られてくる送信装置１１４からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対して送信装置１１４と同じ拡散系列でＲａｋｅ受信して各帯域の信号を分離するＲａｋｅ受信部３２と、Ｒａｋｅ受信部３２の各々の出力信号をシリアルデータに変換するパラレル／シリアル変換部１１とを有することにより、逆拡散部の構成をＲａｋｅレシーバーとすることで、周波数ダイバーシチ効果の他、パスダイバーシチ効果も発生し、マルチパス環境下において、よりスループットを改善を図ることができる。
【００９９】
（実施の形態１１）
図１１は本発明の実施の形態１１によるマルチバンド無線通信システムを示すブロック図である。
【０１００】
図１１において、１はシリアル／パラレル変換部、２は直接拡散部、３は合成器、４は送信系共通ＩＦ部、５は送信系ＲＦ部、８は受信系ＲＦ部、９は受信系共通ＩＦ部、１０は逆拡散部、１１はパラレル／シリアル変換部、３３は送信系アンテナ部、３４は受信系アンテナ部、１１５は送信装置、２１５は受信装置である。
【０１０１】
以上のように構成されたマルチバンド無線通信システムについて、その動作を説明する。
【０１０２】
送信装置１１５においては、まずシリアル／パラレル変換部１において、送信したいシリアル配列の送信データをパラレルデータに変換する。次に、直接拡散部２において、その出力の各々の信号を、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、それらの各々の帯域の信号を、送信系アンテナ３３部において、Ｎ個のアンテナで各周波数帯域毎に空中に送出する。
【０１０３】
受信装置２１５においては、空中を介して送信系から送られてきた信号を受信系アンテナ部３４のＮ個のアンテナで各周波数帯域毎に受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りの逆拡散を行うことで各帯域の信号を分離し、それらをパラレル／シリアル変換部１１においてシリアルデータに変換して復調データを再生する。
【０１０４】
以上のように本実施の形態によれば、送信装置１１５は、シリアルデータをパラレルデータに変換して出力するシリアル／パラレル変換部１と、パラレルデータの各々に対して、互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５の各々の帯域の信号をＮ個のアンテナで各周波数帯域毎に空中に送出する送信系アンテナ部３３とを有し、受信装置２１５は、空中から送られてくる送信装置１１５からの信号をＮ個のアンテナで各周波数帯域毎に受信する受信系アンテナ部３４と、受信系アンテナ部３４で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１１５と同じ拡散系列でＮ通りの逆拡散を行うことで各帯域の信号を分離する逆拡散部１０と、逆拡散部１０の各々の出力信号をシリアルデータに変換するパラレル／シリアル変換部１１とを有することにより、アンテナについて各帯域の間で指向性や伝送特性に大きな違いがある場合に、その帯域について独自のアンテナを使うことにより、若干コストは上がるものの、よりスループットの改善を図ることができる。
【０１０５】
（実施の形態１２）
図１２は本発明の実施の形態１２によるマルチバンド無線通信システムを示すブロック図である。
【０１０６】
図１２において、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、３５は選択合成部、１１６は送信装置、２１６は受信装置である。
【０１０７】
以上のように構成されたマルチバンド無線通信システムについて、その動作を説明する。
【０１０８】
送信装置１１６においては、送信したいシリアル配列の送信データを各搬送波周波数帯域の数だけ並列に分岐し、その出力の各々に対して、直接拡散部２において、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【０１０９】
受信装置２１６においては、空中を介して送信装置１１６から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りの逆拡散を行うことで各帯域の信号を分離し、その出力に対して、選択合成部３５において、最も信号品質の良いものを選択してそれを復調データして再生する。
【０１１０】
以上のように本実施の形態によれば、送信装置１１６は、シリアルに送られて来た送信データを各搬送波周波数帯域の数だけ並列に分岐し分岐した各々の送信データに対して互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２１６は、空中から送られてくる送信装置からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１１６と同じ拡散系列でＮ通りの逆拡散を行うことで各帯域の信号を分離する逆拡散部１０と、逆拡散部１０の出力信号より最も信号品質の良いものを選択して復調データとする選択合成部３５とを有することにより、シリアル／パラレル変換について、複数の帯域を使う必要が無い程度に高速伝送が要求されない場合に、全ての送信データを各帯域を同時に使って並列に伝送し、受信装置２１６では、各帯域毎の受信信号品質を抽出し、その情報に基づいて、最も品質の良い帯域の信号のみ復調に使う（選択合成を行う）ようにしたので、周波数ダイバーシチ効果が増大され、更なるスループットの改善を図ることができる。
【０１１１】
（実施の形態１３）
図１３は本発明の実施の形態１３によるマルチバンド無線通信システムを示すブロック図である。
【０１１２】
図１３において、２は直接拡散部、３は合成器、４は送信系共通ＩＦ部、５は送信系ＲＦ部、６は送信系アンテナ、７は受信系アンテナ、８は受信系ＲＦ部、９は受信系共通ＩＦ部、１０は逆拡散部、３６は最大比合成部、１１７は送信装置、２１７は受信装置である。
【０１１３】
以上のように構成されたマルチバンド無線通信システムについて、その動作を説明する。
【０１１４】
送信装置１１７においては、送信したいシリアル配列の送信データを各搬送波周波数帯域の数だけ並列に分岐し、その出力の各々に対して、直接拡散部２において、互いに直交する拡散系列で直接拡散し、それらの出力を合成器３において合成し、その合成出力を送信系共通ＩＦ部４において共通の中間周波数に変換する。そして、送信系ＲＦ部５において、Ｎ個の各々の搬送波周波数帯域へ変換し、送信系アンテナ６で各々の帯域の信号を一括して空中に送出する。
【０１１５】
受信装置２１７においては、空中を介して送信装置１１７から送られてきた信号を受信系アンテナ７で受信する。次に、受信系ＲＦ部８において、各搬送波周波数帯域の信号を共通の中間周波数に変換し、更に、それらの信号を受信系共通ＩＦ部９においてベースバンド信号に変換する。この出力に対して、逆拡散部１０において、送信系と同じ拡散系列でＮ通りの逆拡散を行うことで各帯域の信号を分離し、その出力に対して、最大比合成部３６において、各々の信号の位相を合わせるほかに、信頼度に応じて重み付けを行って合成し、それを復調データとして再生する。
【０１１６】
以上のように本実施の形態によれば、送信装置１１７は、シリアルに送られて来た送信データを各搬送波周波数帯域の数だけ並列に分岐し分岐した各々の送信データに対して互いに直交する拡散系列で直接拡散を行う直接拡散部２と、直接拡散部２の各々の出力信号を合成する合成器３と、合成器３の各々の出力信号を共通の中間周波数に変換する送信系共通ＩＦ部４と、送信系共通ＩＦ部４の出力信号をＮ個の各々の搬送波周波数帯域へ個別に変換する送信系ＲＦ部５と、送信系ＲＦ部５からの各々の帯域の信号を空中に送出する送信系アンテナ６とを有し、受信装置２１７は、空中から送られてくる送信装置１１７からの信号を受信する受信系アンテナ７と、受信系アンテナ７で受信された信号を各周波数帯域毎に共通の中間周波数帯域に周波数変換する受信系ＲＦ部８と、受信系ＲＦ部８の出力信号を一括してベースバンド信号に周波数変換する受信系共通ＩＦ部９と、受信系共通ＩＦ部９の出力信号に対し、送信装置１１７と同じ拡散系列でＮ通りの逆拡散を行うことで各帯域の信号を分離する逆拡散部１０と、逆拡散部１０の出力信号を最大比合成したデータを復調データとする最大比合成部３６とを有することにより、各帯域毎の受信信号品質を抽出し、その情報に基づいて、品質のより高い帯域の信号により大きな重み付け係数を掛けた後に、それらの信号を合成（最大比合成）するようにしたので、周波数ダイバーシチ効果がさらに増大され、更なるスループットの改善を図ることができる。
【０１１７】
【発明の効果】
以上説明したように本発明の請求項１に記載のマルチバンド無線通信システムよれば、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することにより、送信装置および受信装置共に共通ＩＦ部で同一中間周波数として一括処理出来るので、ＩＦモジュールが一個で済み、その分の大幅な低コスト化を実現することができるという有利な効果が得られる。
【０１１８】
請求項２に記載のマルチバンド無線通信システムによれば、送信装置と受信装置とから成るマルチバンド無線通信システムであって、送信装置は、シリアルデータをパラレルデータに変換して出力するシリアル／パラレル変換部と、搬送波周波数のより高いパラレルデータに対してはより大きな重み付け係数を乗ずる重み付け部と、重み付け部からの出力信号の各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することにより、請求項１と同様の有利な効果が得られると共に、一般的に伝送特性の厳しい周波数のより高い帯域対応のシリアル／パラレル変換部出力信号に対してはより大きな重み付け係数を掛けるようにしたので、特に近距離伝送時においてよりスループットを改善することができるという有利な効果が得られる。
【０１１９】
請求項３に記載のマルチバンド無線通信システムによれば、送信装置と受信装置とから成るマルチバンド無線通信システムであって、送信装置は、シリアルデータをパラレルデータに変換して出力するシリアル／パラレル変換部と、搬送波周波数のより低いパラレルデータに対してはより多くのデータを格納する送信系シフトレジスタ部と、送信系シフトレジスタ部の出力信号の各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号に対して、送信系シフトレジスタ部と同じ各搬送波周波数対応の格納データ数だけデータを格納する受信系シフトレジスタ部と、受信系シフトレジスタ部の出力信号をシリアルに変換するパラレル／シリアル変換部とを有することにより、請求項１と同様の有利な効果が得られると共に、シリアル／パラレル変換部出力信号について、一般的に伝送特性の良好な周波数のより低い帯域に対してはより多くの送信信号ビット数を割り当てるようにしたので、特に長距離伝送時においてよりスループットを改善することができるという有利な効果が得られる。
【０１２０】
請求項４に記載のマルチバンド無線通信システムによれば、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部とを有し、自分側中間装置は、逆拡散部の各々の出力信号の信号品質を抽出する受信信号品質抽出部と、受信信号品質抽出部の出力信号に基づいて、自分側送信装置における各搬送波周波数帯域対応の格納データ数や重み付け係数を決定する送信パラメータ制御部とを有し、自分側送信装置は、シリアルデータをパラレルデータに変換するシリアル／パラレル変換部と、送信パラメータ制御部出力の制御信号により決められた各搬送波周波数帯域対応の格納データ数だけシリアル／パラレル変換部出力の各々の信号に対してデータを格納する送信系シフトレジスタ部と、送信パラメータ制御部出力の制御信号により決められた各搬送波周波数帯域対応の重み付け係数を送信系シフトレジスタ部出力の各々の信号に乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することにより、各帯域の受信信号品質を抽出し、その結果を用いて、トータルとして最大のスループットが得られるような重み付け係数と割り当て送信信号ビット数を選択するようにしたので、無線伝搬路が時々刻々変化してもスループットの改善を図ることができるという有利な効果が得られる。
【０１２１】
請求項５に記載のマルチバンド無線通信システムによれば、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、相手側送信装置における送信系制御信号を生成する送信制御情報生成部とを有し、自分側送信装置は、生成した相手側送信装置における送信系制御信号を送信データに挿入してシリアルに出力する送信制御情報挿入部と、送信制御情報挿入部の出力データをパラレルに変換するシリアル／パラレル変換部と、送信制御情報分離部出力の制御信号により決められた各搬送波周波数帯域対応の格納データ数だけのデータをシリアル／パラレル変換出力の各々のデータに対して格納する送信系シフトレジスタ部と、送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することにより、請求項１と同様の有利な効果が得られると共に、通信相手の無線通信装置が各帯域の受信信号品質を抽出し、その結果を自分側無線通信装置に伝送し、自分側無線通信装置では、その情報をもちいて、トータルとして最大のスループットが得られるような重み付け係数と割り当て送信信号ビット数を選択するようにしたので、上りと下りの伝送路特性が異なる場合であっても、時々刻々変化する無線伝搬路に対してスループットの改善を図ることができるという有利な効果が得られる。
【０１２２】
請求項６に記載のマルチバンド無線通信システムによれば、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号をシリアルに変換するパラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、相手側送信装置における送信系制御信号を生成する送信制御情報生成部とを有し、自分側送信装置は、帯域幅のより大きい搬送波周波数帯域に対してより大きくした格納データ数およびより高い搬送波周波数帯域に対してより大きくした重み付け係数を初期値とし、初期値設定以降は送信制御情報生成部出力を送信データに挿入する送信制御情報挿入部と、送信制御情報挿入部の出力データをパラレルに変換するシリアル／パラレル変換部と、初期値設定以降は送信制御情報分離部出力の制御信号により決められた各搬送波周波数帯域対応の格納データ数だけのデータをシリアル／パラレル変換出力の各々のデータに対して格納する送信系シフトレジスタ部と、初期値設定以降は送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することにより、請求項１と同様の有利な効果が得られると共に、初期値として、各帯域幅に応じて、送信信号ビット数を割り当て、各帯域の周波数の大小に応じて重み付け係数を決めるようにしたので、通信開始時点からより早い時間内に、上りと下りの伝送路特性が異なる場合であっても、時々刻々変化する無線伝搬路が対してスループットの改善を図ることができるという有利な効果が得られる。
【０１２３】
請求項７に記載のマルチバンド無線通信システムによれば、自分側無線通信装置と相手側無線通信装置とから成るマルチバンド無線通信システムであって、自分側無線通信装置は、自分側送信装置と自分側受信装置と自分側受信装置からの信号を処理して自分側送信装置に出力する自分側中間装置とを有し、相手側無線通信装置は、相手側送信装置と相手側受信装置と相手側受信装置からの信号を処理して相手側送信装置に出力する相手側中間装置とを有し、自分側受信装置は、空中から送られてくる相手側送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、相手側送信装置と同じ拡散系列でＮ通りの逆拡散を行うことで各帯域の信号を分離する逆拡散部と、逆拡散部の各々の出力信号に対して、相手側送信装置の送信系シフトレジスタ部の各搬送波周波数対応の格納データ数だけデータを格納する受信系シフトレジスタ部と、受信系シフトレジスタ部の出力信号を相手側送信装置の送信系シフトレジスタ部に対応してシリアルに変換する信号種別パラレル／シリアル変換部と、パラレル／シリアル変換部の出力信号から自分側送信装置における送信系制御信号とその他の信号とを分離する送信制御情報分離部とを有し、自分側中間装置は、逆拡散部の各々の出力信号の信号品質を抽出する受信信号品質抽出部と、受信信号品質抽出部の出力信号に基づいて、音声・データ等の信号種類別に所要の受信信号品質に応じて抽出した受信信号品質が各々の所要値以上で等しくなるように相手側送信装置における送信系制御信号を生成する送信制御情報生成部とを有し、自分側送信装置は、送信制御情報生成部の出力信号を送信データに挿入する送信制御情報挿入部と、送信制御情報挿入部の出力データを信号種類別に、別々の搬送波周波数帯域に割り当てる信号種別シリアル／パラレル変換部と、送信制御情報分離部出力の制御信号により決められた各搬送波周波数帯域対応の格納データ数だけのデータをシリアル／パラレル変換出力の各々のデータに対して格納する送信系シフトレジスタ部と、送信制御情報分離部出力の制御信号により決められた各搬送波周波数帯域対応の重み付け係数を送信系シフトレジスタ部出力の各々のデータに乗ずる重み付け部と、重み付け部の各々の出力信号に対して、互いに直交する拡散系列で直接拡散を行う直接拡散部と、直接拡散部出力の各々の信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号を空中に送出する送信系アンテナとを有することにより、請求項１と同様の有利な効果が得られると共に、音声やデータなど所要受信信号品質の異なる複数の種類の信号を送る場合に、通信相手の無線通信装置が各帯域の受信信号品質を抽出し、その結果を自分側無線通信装置に伝送し、自分側無線通信装置では、その情報をもちいて、各信号の所要受信信号品質に応じて、適応的に重み付け係数や割り当て送信信号ビット数と共に帯域を割り当てるようにしたので、更にスループットの改善を図ることができるという有利な効果が得られる。
【０１２４】
請求項８に記載のマルチバンド無線通信システムによれば、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を一括して共通の中間周波数帯域に周波数変換する受信系共通ＲＦ部と、受信系共通ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することにより、受信系ＲＦ部について、近距離伝送（１００ｍ程度）を前提とし、厳しい受信感度が要求されない場合に、帯域外雑音が発生するものの、各帯域に対し受信ＲＦ部を共通化するようにしたので、更に低コスト化を図ることができるという有利な効果が得られる。
【０１２５】
請求項９に記載のマルチバンド無線通信システムによれば、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を一括して共通の中間周波数帯域に周波数変換する受信系共通ＲＦ部と、受信系共通ＲＦ部の出力データに対して送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することにより、受信系共通ＩＦ部について、Ｂｌｕｅｔｏｏｔｈのような更なる近距離伝送（１０ｍ程度）を前提とし、厳しいダイナミックが要求されない場合に、大きなダイナミックレンジが得られなくなるものの、各帯域に対し共通化された受信系共通ＩＦ部を除去するようにしたので、更に低コスト化を図ることができるという有利な効果が得られる。
【０１２６】
請求項１０に記載のマルチバンド無線通信システムによれば、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対して送信装置と同じ拡散系列でＲａｋｅ受信して各帯域の信号を分離するＲａｋｅ受信部と、Ｒａｋｅ受信部の各々の出力信号をシリアルデータに変換するパラレル／シリアル変換部とを有することにより、請求項１と同様の有利な効果が得られると共に、逆拡散部の構成をＲａｋｅレシーバーとすることで、周波数ダイバーシチ効果の他、パスダイバーシチ効果も発生し、マルチパス環境下において、よりスループットを改善を図ることができるという有利な効果が得られる。
【０１２７】
請求項１１に記載のマルチバンド無線通信システムによれば、送信装置と受信装置とから成るマルチバンド無線通信システムであって、送信装置は、シリアルデータをパラレルデータに変換して出力するシリアル／パラレル変換部と、パラレルデータの各々に対して、互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部の各々の帯域の信号をＮ個のアンテナで各周波数帯域毎に空中に送出する送信系アンテナ部とを有し、受信装置は、空中から送られてくる送信装置からの信号をＮ個のアンテナで各周波数帯域毎に受信する受信系アンテナ部と、受信系アンテナ部で受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の各々の出力信号をシリアルデータに変換するパラレル／シリアル変換部とを有することにより、請求項１と同様の有利な効果が得られるとともに、アンテナについて各帯域の間で指向性や伝送特性に大きな違いがある場合に、その帯域について独自のアンテナを使うことにより、若干コストは上がるものの、よりスループットの改善を図ることができるという有利な効果が得られる。
【０１２８】
請求項１２に記載のマルチバンド無線通信システムによれば、送信装置と受信装置とから成るマルチバンド無線通信システムであって、送信装置は、シリアルに送られて来た送信データを各搬送波周波数帯域の数だけ並列に分岐し分岐した各々の送信データに対して互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の出力信号より最も信号品質の良いものを選択して復調データとする選択合成部とを有することにより、請求項１と同様の有利な効果が得られると共に、シリアル／パラレル変換について、複数の帯域を使う必要が無い程度に高速伝送が要求されない場合に、全ての送信データを各帯域を同時に使って並列に伝送し、受信装置では、各帯域毎の受信信号品質を抽出し、その情報に基づいて、最も品質の良い帯域の信号のみ復調に使う（選択合成を行う）ようにしたので、周波数ダイバーシチ効果が増大され、更なるスループットの改善を図ることができるという有利な効果が得られる。
【０１２９】
請求項１３に記載のマルチバンド無線通信システムによれば、送信装置と受信装置とから成るマルチバンド無線通信システムであって、送信装置は、シリアルに送られて来た送信データを各搬送波周波数帯域の数だけ並列に分岐し分岐した各々の送信データに対して互いに直交する拡散系列で直接拡散を行う直接拡散部と、直接拡散部の各々の出力信号を合成する合成器と、合成器の出力信号を共通の中間周波数に変換する送信系共通ＩＦ部と、送信系共通ＩＦ部の出力信号をＮ個の各々の搬送波周波数帯域へ個別に変換する送信系ＲＦ部と、送信系ＲＦ部からの各々の帯域の信号を空中に送出する送信系アンテナとを有し、受信装置は、空中から送られてくる送信装置からの信号を受信する受信系アンテナと、受信系アンテナで受信された信号を各周波数帯域毎に共通の中間周波数帯域に周波数変換する受信系ＲＦ部と、受信系ＲＦ部の出力信号を一括してベースバンド信号に周波数変換する受信系共通ＩＦ部と、受信系共通ＩＦ部の出力信号に対し、送信装置と同じ拡散系列でＮ通りの逆拡散を行うことで各帯域の信号を分離する逆拡散部と、逆拡散部の出力信号を最大比合成したデータを復調データとする最大比合成部とを有することにより、請求項１と同様の有利な効果が得られると共に、各帯域毎の受信信号品質を抽出し、その情報に基づいて、品質のより高い帯域の信号により大きな重み付け係数を掛けた後に、それらの信号を合成（最大比合成）するようにしたので、周波数ダイバーシチ効果がさらに増大され、更なるスループットの改善を図ることができるという有利な効果が得られる。
【図面の簡単な説明】
【図１】本発明の実施の形態１によるマルチバンド無線通信システムを示すブロック図
【図２】本発明の実施の形態２によるマルチバンド無線通信システムを示すブロック図
【図３】本発明の実施の形態３によるマルチバンド無線通信システムを示すブロック図
【図４】本発明の実施の形態４によるマルチバンド無線通信システムを示すブロック図
【図５】本発明の実施の形態５によるマルチバンド無線通信システムを示すブロック図
【図６】本発明の実施の形態６によるマルチバンド無線通信システムを示すブロック図
【図７】本発明の実施の形態７によるマルチバンド無線通信システムを示すブロック図
【図８】本発明の実施の形態８によるマルチバンド無線通信システムを示すブロック図
【図９】本発明の実施の形態９によるマルチバンド無線通信システムを示すブロック図
【図１０】本発明の実施の形態１０によるマルチバンド無線通信システムを示すブロック図
【図１１】本発明の実施の形態１１によるマルチバンド無線通信システムを示すブロック図
【図１２】本発明の実施の形態１２によるマルチバンド無線通信システムを示すブロック図
【図１３】本発明の実施の形態１３によるマルチバンド無線通信システムを示すブロック図
【図１４】従来のマルチバンド無線通信システムを示すブロック図
【符号の説明】
１  シリアル／パラレル変換部
２  直接拡散部
３  合成器
４  送信系共通ＩＦ部
５  送信系ＲＦ部
６  送信系アンテナ
７  受信系アンテナ
８  受信系ＲＦ部
９  受信系共通ＩＦ部
１０  逆拡散部
１１  パラレル／シリアル変換部
１２  重み付け部
１３、１５  送信系シフトレジスタ部
１４、１７  受信系シフトレジスタ部
１６  重み付け部
１８、２１  送信パラメータ制御部
１９、２０  受信信号品質抽出部
２２、２３、２８、２９  送信制御情報生成部
２４  送信制御情報挿入部
２５  送信制御情報分離部
２６  送信制御情報挿入部Ｂ
２７  信号種別シリアル／パラレル変換部
３０  信号種別パラレル／シリアル変換部
３１  受信系共通ＲＦ部
３２  Ｒａｋｅ受信部
３３  送信系アンテナ部
３４  受信系アンテナ部
３５  選択合成部
３６  最大比合成部
３７  送信系ＩＦ／ＲＦ部
３８  受信系ＲＦ／ＩＦ部
１０１、１０２、１０３、１０４、１０５、１０６、１０７、１０８、１０９、１１０、１１１、１１２、１１３、１１４、１１５、１１６、１１７  送信装置
２０１、２０２、２０３、２０４、２０５、２０６、２０７、２０８、２０９、２１０、２１１、２１２、２１３、２１４、２１５、２１６、２１７  受信装置
Ｍ１０１、Ｍ１０２、Ｍ１０３、Ｍ１０４  無線通信装置（自分側無線通信装置）
Ｍ２０１、Ｍ２０２、Ｍ２０３、Ｍ２０４  無線通信装置（相手側無線通信装置）
【図１】
0004604393.tif 000002
【図２】
0004604393.tif 000003
【図３】
0004604393.tif 000004
【図４】
0004604393.tif 000005
【図５】
0004604393.tif 000006
【図６】
0004604393.tif 000007
【図７】
0004604393.tif 000008
【図８】
0004604393.tif 000009
【図９】
0004604393.tif 000010
【図１０】
0004604393.tif 000011
【図１１】
0004604393.tif 000012
【図１２】
0004604393.tif 000013
【図１３】
0004604393.tif 000014
【図１４】
0004604393.tif 000015